(57)【特許請求の範囲】
【請求項１】
固定接点部を含む電磁駆動部と、
前記電磁駆動部に対し揺動自在に取り付けられ、前記電磁駆動部により吸引、離反される接極子と、
前記接極子に接続され前記接極子の揺動に応じて前記固定接点部に接離する可動接点部と、
前記可動接点部と電気的に接続された端子と、を備え
前記接極子が前記電磁駆動部から揺動して離反する際に、前記接極子の揺動支点の近傍で前記接極子と当接して前記接極子の離反動作を制限する当接部を前記端子から延設してなる電磁リレー。
【請求項２】
前記端子は、断面Ｌ字形状に形成され、そのＬ字先端部に前記当接部が形成されている請求項１に記載の電磁リレー。
【請求項３】
前記当接部には、前記接極子の前記端子に対する当接速度を小さくさせる緩衝部材が設けられている請求項１又は請求項２に記載の電磁リレー。
【発明の詳細な説明】
【技術分野】
【０００１】
本発明は、電磁石の励磁、非励磁を切り替えることで、接極子を揺動させて接点の開閉動作をさせる構造の電磁リレーに関する。
【背景技術】
【０００２】
図４は、従来の電磁リレーを示す三面図であり、（ａ）は平面図、（ｂ）は正面図、（ｃ）は（ｂ）を矢印Ａ方向から見た側面図である。同図において、電磁リレー１０は、樹脂等の絶縁性部材にて方形状に形成されたベース部１１に、電磁石部１２、接極子１３、可動接点部１４、固定接点部１５、ＣＯＭ（コモン）端子１６、接極子振れ止め部１７及びＮＣ（ノーマリクローズ）ダミー端子１８が設けられたものである。また、電磁リレー１０は、ベース部１１に嵌合し、前記各部材１２〜１８を収容するケース２０を有している。
【０００３】
電磁石部１２と固定接点部１５は電磁駆動部３０を構成する。接極子１３は、電磁石部１２の上端に揺動自在に支持されており、電磁石部１２により吸引、離反される。可動接点部１４は、弾性を有する金属材で形成されており、接極子１３の上面に固着されている。可動接点部１４の先端部分には可動接点１４ａが固着されている。固定接点部１５は、その先端に固定接点１５ａが固着されており、その固定接点１５ａが可動接点部１４の可動接点１４ａに対向するように配置されている。ＣＯＭ端子１６は、可動接点部１４と電気的に接続されている。
【０００４】
接極子振れ止め部１７は、電磁リレー１０の落下時における接触子１３の振れ止めを行うものであり、接極子１３の基端部１３ａの両側に１つずつ配設されている。各接極子振れ止め部１７は、接極子１３とは非接触状態で配設されている。接極子振れ止め部１７はＣＯＭ端子１６に設けられており、先端部分１７ａが接極子１３側に僅かに曲げられて形成されている。ＮＣダミー端子１８は、可動接点部１４の先端部分の直上に配設されており、可動接点部１４の復帰時（固定接点部１５からの離反時）に、可動接点１４ａを受けて可動接点部１４を保持するものである。なお、このＮＣダミー端子１８と同様の部材が特許文献１にも開示されている（特許文献１の図１におけるＮＣ固定接点２０ａ）。
【０００５】
このような構成の電磁リレー１０において、電磁石部１２に電圧を印加すると、電磁石部１２が励磁状態となり、可動接点部１４が吸引される。このときの吸引力が可動接点部１４の弾性力を超えることから、可動接点部１４が電磁石部１２に吸着されて可動接点部１４の可動接点１４ａが固定接点部１５の固定接点１５ａに接触する。
【０００６】
次いで、電磁石部１２への電圧の印加を停止すると、電磁石部１２が非励磁状態となり、可動接点部１４が自身の弾性力によって電磁石部１２から離反し、この離反に従って可動接点部１４の可動接点１４ａが固定接点部１５の固定接点１５ａから離反する。このように、電磁石部１２の励磁、非励磁に基づき、可動接点部１４が固定接点部１５に対し接離自在に駆動される。
【先行技術文献】
【特許文献】
【０００７】
【特許文献１】特開２００９−１１０６９３号公報
【発明の概要】
【発明が解決しようとする課題】
【０００８】
ところで、上述した従来の電磁リレー１０では、可動接点部１４をＮＣダミー端子１８で受けていた為、復帰音が大きかった。また、このＮＣダミー端子１８を設けることから、部品点数が１つ増し、その分、コスト高になっていた。
【０００９】
本発明は、係る事情に鑑みてなされたものであり、可動接点部の復帰時の復帰音を小さくできると共に、ＮＣダミー端子を削減できる電磁リレーを提供することを目的とする。
【課題を解決するための手段】
【００１０】
本発明の電磁リレーは、固定接点部を含む電磁駆動部と、前記電磁駆動部に対し揺動自在に取り付けられ、前記電磁駆動部により吸引、離反される接極子と、前記接極子に接続され前記接極子の揺動に応じて前記固定接点部に接離する可動接点部と、前記可動接点部と電気的に接続された端子と、を備え、前記接極子が前記電磁駆動部から揺動して離反する際に、前記接極子の揺動支点の近傍で前記接極子と当接して前記接極子の離反動作を制限する当接部を前記端子から延設してなる。
【００１１】
また、上記電磁リレーにおいて、前記端子は、断面Ｌ字形状に形成され、そのＬ字先端部に前記当接部が形成されている。
【００１２】
また、上記電磁リレーにおいて、前記当接部には、前記接極子の前記端子に対する当接速度を小さくさせる緩衝部材が設けられている。
【発明の効果】
【００１３】
本発明は、接極子が電磁駆動部から揺動して離反する際に、接極子の揺動支点の近傍で接極子と当接して該接極子の離反動作を制限する当接部を端子から延設したので、ＮＣダミー端子が不要となり、可動接点部の復帰時の復帰音を小さくできる。また、ＮＣダミー端子が不要となる分、部品点数の削減ができ、コストダウンが図れる。
【図面の簡単な説明】
【００１４】
【図１】本発明の一実施の形態に係る電磁リレーを示す三面図であり、（ａ）は平面図、（ｂ）は正面図、（ｃ）は（ｂ）を矢印Ａ方向から見た側面図
【図２】図１の電磁リレーの可動接点部の移動距離と図４の従来の電磁リレーの可動接点部の移動距離の違いを模式的に示した図
【図３】図１の当接部の応用である緩衝部材が設けられた当接部の一部分を示す図
【図４】従来の電磁リレーを示す三面図であり、（ａ）は平面図、（ｂ）は正面図、（ｃ）は（ｂ）を矢印Ａ方向から見た側面図
【発明を実施するための形態】
【００１５】
以下、本発明を実施するための好適な実施の形態について、図面を参照して詳細に説明する。
【００１６】
図１は、本発明の一実施の形態に係る電磁リレーを示す三面図であり、（ａ）は平面図、（ｂ）は正面図、（ｃ）は（ｂ）を矢印Ａ方向から見た側面図である。なお、同図において前述した図４と共通する部分には同一の符号を付けている。
【００１７】
図１において、本実施の形態の電磁リレー１は、樹脂等の絶縁性部材にて方形状に形成されたベース部１１に、電磁石部１２、接極子１３、可動接点部１４、固定接点部１５、ＣＯＭ端子２、及び当接部３が設けられたものである。また、本実施の形態の電磁リレー１は、図１の（ｃ）から分かるようにＮＣダミー端子は備えていない。すなわち、ＮＣダミー端子を不要としている。
【００１８】
ＣＯＭ端子２は、断面Ｌ字形状に形成され、そのＬ字先端部に当接部３が形成されている。当接部３は、接極子１３が電磁駆動部３０の電磁石部１２から揺動して離反する際に、接極子１３の揺動支点Ｐの近傍で接極子１３と当接して接極子１３の離反動作を制限するものである。当接部３は、接極子１３の基端部１３ａの両側に１つずつ配設される。このような形状の当接部３を設けたことで、接極子１３の離反動作を制限でき、従来の電磁リレー１０で必要としたＮＣダミー端子１８が不要となる。これにより、可動接点部１４の復帰時の復帰音を小さくできる。また、ＮＣダミー端子１８が不要となる分、部品点数の削減ができ、コストダウンが図れる。
【００１９】
また、当接部３が接極子１３を直接押さえ込むことから、接極子１３が浮き上がらなくなり、また、接極子１３の移動範囲が従来の電磁リレー１０における接極子１３の移動範囲よりも短くなることから、電磁リレー１が落下した時のばね変形（可動接点部１４そのものの変形）を少なくできる。この場合、ばね変形が少なくなると言うことは、電磁リレーとしての特性変化が少なくなると言うことである。
【００２０】
図２は、本実施の形態の電磁リレー１の可動接点部１４の移動距離と従来の電磁リレー１０の可動接点部１４の移動距離の違いを模式的に示した図である。従来の電磁リレー１０では、当接部３を有していないので、可動接点部１４の移動距離は可動接点部１４の可動接点１４ａがＮＣダミー端子１８に当接するまでのＬ１となる。これに対して、本実施の形態の電磁リレー１では、当接部３を有していて、接極子１３の揺動支点Ｐの近傍で接極子１３と当接して接極子１３の離反動作を制限するので、可動接点部１４の移動距離はＬ２（＜Ｌ１）となる。そして、移動距離の差Ｗは運動エネルギーの差と等しいので、運動エネルギーは本実施の形態の電磁リレー１の方が小さくなる。すなわち、可動接点部１４の復帰時の復帰音を抑えることができる。
【００２１】
なお、本実施の形態の電磁リレー１の動作は従来の電磁リレー１０と何ら変らないので、説明を省略する。
【００２２】
このように、本実施の形態の電磁リレー１によれば、断面Ｌ字形状に形成し、そのＬ字先端部に当接部３を形成したＣＯＭ端子２を備え、接極子１３が電磁駆動部３０から揺動して離反する際に、接極子１３の揺動支点Ｐの近傍で接極子１３と当接して該接極子１３の離反動作を制限するようにしたので、従来の電磁リレー１０で必要としたＮＣダミー端子１８が不要となり、可動接点部１４の復帰時の復帰音を小さくできる。また、ＮＣダミー端子１８が不要となる分、部品点数の削減ができ、コストダウンが図れる。また、当接部３が接極子１３を直接押さえ込むことから、接極子１３が浮き上がらなくなり、また、接極子１３の移動範囲が従来の電磁リレー１０における接極子１３の移動範囲よりも短くなることから、電磁リレー１が落下した時のばね変形（可動接点部１４そのものの変形）を少なくできる。
【００２３】
なお、図３に示すように、当接部３の先端部にゴム等の緩衝部材５を設けることで、接極子１３の当接速度を小さくすることかでき、これにより可動接点部１４の復帰音をさらに小さくすることができる。
【符号の説明】
【００２４】
１  電磁リレー
２  ＣＯＭ端子
３  当接部
５  緩衝部材
１１  ベース部
１２  電磁石部
１３  接極子
１４  可動接点部
１４ａ  可動接点
１５  固定接点部
１５ａ  固定接点
２０  ケース
３０  電磁駆動部
【図１】
0005535045.tif 000002
【図２】
0005535045.tif 000003
【図３】
0005535045.tif 000004
【図４】
0005535045.tif 000005